(57)【要約】【課題】室内の換気を図ると共に昆虫や鳥類の侵入を防止し、雨水の吹き込みを防ぎ、日差しを和らげて、さらには防犯効果がある建物の窓用サイドバイザーを提供する。【解決手段】窓枠１２の内側に開口部１３を有する窓の、前記開口部１３に設置する建物の窓用サイドバイザー１１であって、該窓用サイドバイザー１１は、前記開口部１３を覆う状態で取り付けると共に下部１４ｂ側に沿って外側に傾斜したプロテクター部材１４と、該プロテクター部材１４の下部１４ｂに設けるルーバー部材１５又は通気板と、前記開口部１３に宛がう状態で設ける網戸部材１６とから構成される。【選択図】図１
2010121311.tif 000002
【特許請求の範囲】
【請求項１】
窓枠の内側に開口部を有する窓の前記開口部に設置する、建物の窓用サイドバイザーであって、
該窓用サイドバイザーは、
前記開口部を覆う状態で取り付けると共に下部側に沿って外側に傾斜したプロテクター部材と、
該プロテクター部材の下部に設けるルーバー部材又は通気板と、
前記開口部に宛がう状態で設ける網戸部材と
から少なくとも構成されることを特徴とする建物の窓用サイドバイザー。
【請求項２】
窓の外枠に設置する、建物の窓用サイドバイザーであって、
該窓用サイドバイザーは、
開成した窓の開口部を覆う状態で取り付けると共に下部側に沿って外側に傾斜したプロテクター部材と、
該プロテクター部材の下部に設けるルーバー部材又は通気板と、
前記開口部に宛がう状態で設ける網戸部材と
から少なくとも構成され、
前記窓用サイドバイザーの上下両端部又は左右両端部には、前記外枠に設けられたレール部材に沿って移動する溝部又は車輪が設けられていること
を特徴とする建物の窓用サイドバイザー。
【請求項３】
前記プロテクター部材は、ポリカーボネート製であると共に、スモーク加工が施されていること
を特徴とする請求項１又は２のいずれかに記載の建物の窓用サイドバイザー。
【請求項４】
前記網戸部材の室内側は、フィルター部材が配設可能であること
を特徴とする請求項１又は２のいずれかに記載の建物の窓用サイドバイザー。
【請求項５】
前記網戸部材の室内側は、蓋部材又は／及び断熱材で施蓋可能であること
を特徴とする請求項１又は２のいずれかに記載の建物の窓用サイドバイザー。
【請求項６】
前記プロテクター部材の下部には、暖簾が垂下していること
を特徴とする請求項１又は２のいずれかに記載の建物の窓用サイドバイザー。
【発明の詳細な説明】
【技術分野】
【０００１】
本発明は、建物の窓用サイドバイザーに関するものであり、更に詳しくは、室内の換気を図ると共に昆虫や鳥類の侵入を防止し、雨水の吹き込みを防ぎ、日差しを和らげて、さらには防犯効果がある、建物の窓用サイドバイザーに関するものである。
【背景技術】
【０００２】
従来、図８に示す網戸付き窓１が知られている。この網戸付き窓１は、引き違いサッシ２における内側窓２ａの下部に設けられている。引き違いサッシ２は、内側窓２ａと外側窓２ｂとを備えており、クレセント錠３で鍵が掛かるようになっている（特許文献１参照）。
【０００３】
網戸付き窓１は、室内側に窓枠４が設けられており、その窓枠４に沿って障子５が取り付けられている。障子５は、その下端部に沿って回動自在に支持されており、摘み６を持って傾動せさることで開閉が自在に構成されている。
【０００４】
また、障子５の外側には、図示しない網戸が配設されており、障子５を開成することで室内の換気を図ることができるようになっている。
【特許文献１】特開２００３−９０１８８号公報
【発明の開示】
【発明が解決しようとする課題】
【０００５】
この従来例の網戸付き窓１においては、換気と虫の侵入は防止できるものの、粒子の細かいホコリ、砂塵又は煙などは侵入し、また、雨天の時には雨水が吹き込みやすいという欠点を有している。また、網戸を破って人の侵入が容易であり防犯上の問題点を有している。
【０００６】
従って、従来例における網戸付き窓１においては、ホコリ、砂塵、煙、さらには雨水の侵入を防止することと、防犯上の信頼性を向上させることに解決しなければならない課題を有している。
【課題を解決するための手段】
【０００７】
前記従来例の課題を解決する具体的手段として本発明は、窓枠の内側に開口部を有する窓の前記開口部に設置する、建物の窓用サイドバイザーであって、該窓用サイドバイザーは、前記開口部を覆う状態で取り付けると共に下部側に沿って外側に傾斜したプロテクター部材と、該プロテクター部材の下部に設けるルーバー部材又は通気板と、前記開口部に宛がう状態で設ける網戸部材とから少なくとも構成されることを特徴とする建物の窓用サイドバイザーを提供するものである。
【０００８】
また、本発明は、窓の外枠に設置する、建物の窓用サイドバイザーであって、該窓用サイドバイザーは、開成した窓の開口部を覆う状態で取り付けると共に下部側に沿って外側に傾斜したプロテクター部材と、該プロテクター部材の下部に設けるルーバー部材又は通気板と、前記開口部に宛がう状態で設ける網戸部材とから少なくとも構成され、前記窓用サイドバイザーの上下両端部又は左右両端部には、前記外枠に設けられたレール部材に沿って移動する溝部又は車輪が設けられていることを特徴とする建物の窓用サイドバイザーを提供するものである。
【０００９】
更に、前記プロテクター部材は、ポリカーボネート製であると共に、スモーク加工が施されていること、；
前記網戸部材の室内側は、フィルター部材が配設可能であること、；
前記網戸部材の室内側は、蓋部材又は／及び断熱材で施蓋可能であること、；
前記プロテクター部材の下部には、暖簾が垂下していること、；
を含むものである。
【発明の効果】
【００１０】
本発明に係る建物の窓用サイドバイザーは、窓枠の内側に開口部を有する窓の前記開口部に設置する、建物の窓用サイドバイザーであって、該窓用サイドバイザーは、前記開口部を覆う状態で取り付けると共に下部側に沿って外側に傾斜したプロテクター部材と、該プロテクター部材の下部に設けるルーバー部材又は通気板と、前記開口部に宛がう状態で設ける網戸部材とから少なくとも構成されることによって、窓を閉めた状態で室内の換気を図り、昆虫や鳥類の侵入を防止する。更には、プロテクター部材の存在により雨水の吹き込みを防ぐことができるという種々の優れた効果を奏する。
【００１１】
また、本発明に係る建物の窓用サイドバイザーは、窓の外枠に設置する、建物の窓用サイドバイザーであって、該窓用サイドバイザーは、開成した窓の開口部を覆う状態で取り付けると共に下部側に沿って外側に傾斜したプロテクター部材と、該プロテクター部材の下部に設けるルーバー部材又は通気板と、前記開口部に宛がう状態で設ける網戸部材とから少なくとも構成され、前記窓用サイドバイザーの上下両端部又は左右両端部には、前記外枠に設けられたレール部材に沿って移動する溝部又は車輪が設けられていることによって、窓用サイドバイザーを外枠に設置するので窓の開閉が可能であると共に、窓を全開にして使用することができる。また、雨天時でも窓を開成できるので常時室内の換気が可能である。更には、窓用サイドバイザーは外枠のレール部材に沿って左右方向又は上下方向に移動できるという種々の優れた効果を奏する。
【００１２】
そして、プロテクター部材は、ポリカーボネート製であると共に、スモーク加工が施されていることによって、耐衝撃性、耐熱性に優れるので破壊して侵入することが難しく防犯性が高い。また、スモーク加工により日中の日差しが和らぐという種々の優れた効果を奏する。
【００１３】
更に、網戸部材の室内側は、フィルター部材が配設可能であることによって、粒子の細かいホコリ、砂塵、煙などの侵入を防止できるだけでなく、防臭、防湿を図ることができるという優れた効果を奏する。
【００１４】
また、網戸部材の室内側は、蓋部材又は／及び断熱材で施蓋可能であることによって、換気の必要ないときや騒音があるときは蓋部材で施蓋すればよい。また、気温の低い冬季などは断熱材で施蓋して冷気の侵入を防止できるという種々の優れた効果を奏する。
【００１５】
そして、プロテクター部材の下部には、暖簾が垂下していることによって、目隠しの役割を果たすと共に、日中の光線を遮って日差しを和らげることができる。更には、様々な絵柄等を描いた種々の暖簾を例えば四季等に応じて掛け替えれば、お洒落な雰囲気を醸し出すことができるという種々の優れた効果を奏する。
【発明を実施するための最良の形態】
【００１６】
次に、本発明の実施の形態について図面を参照しながら説明する。まず、図１及び図３において、符号１１は建物の窓用サイドバイザーを示し、この窓用サイドバイザー１１は、窓枠１２の内側に矩形状の開口部１３を有する窓２２に設置されるものであり（図２参照）、開口部１３を覆う状態で取り付けるプロテクター部材１４と、このプロテクター部材１４の下部に設けるルーバー部材１５と、開口部１３に宛がう状態で設ける網戸部材１６とから構成される。
【００１７】
プロテクター部材１４は、図３に示すように、正面板１４ｄと、この正面板１４ｄの両方の側部に設けられる側面板１４ｅとを有する。正面板１４ｄの横幅寸法は、取り付ける窓枠１２の横幅寸法と略同一幅の寸法であり、縦幅寸法は例えば２０〜１２０ｃｍ程度の所要の寸法である。
【００１８】
また、図１及び図３に示すように、正面板の上部１４ａから下部１４ｂ側に沿って外側に傾斜している。そして、下部１４ｂは、窓枠１２に嵌め込まれたガラス板１７との間に所要幅の隙間が形成される。
【００１９】
このような形状のプロテクター部材１４は、その上部１４ａと側面板１４ｅの端部１４ｃとを、図示しない枠当て材を介して、窓枠１２の上部１２ａと両側部１２ｂ、１２ｂとにそれぞれ当接して、ネジ止め、接着又は貼着等の適宜の取付手段で強固に固定される。
【００２０】
このプロテクター部材１４の材質は、特にポリカーボネート製であることが望ましく、この場合は、耐衝撃性、及び耐熱性に優れるので、衝撃を加えて破壊することが困難であり防犯性が高い。
【００２１】
また、プロテクター部材１４は、全体的にスモーク加工を施してもよく、この場合は、目隠しの役割や光線を遮って日差しを和らげる役目を果たす。
【００２２】
更に、プロテクター部材１４は、その表面に絵や模様を描いたり、カラフルな色彩を用いたり、あるいは波形等の様々な形状のデザインを形成してもよく、この場合は、意匠的な美的効果が高いので看板等として使用することができる。
【００２３】
ルーバー部材１５は、プロテクター部材１４の下部１４ｂに設けられる。即ち、下部１４ｂとガラス板１７の上端部１７ａとの間の隙間に位置する。このルーバー部材１５は、複数枚の羽板１８を所定の間隔ごとに並列させており、この羽板１８の向きを変えて通風量を加減できるように構成してもよい。
なお、ルーバー部材１５に替えて、複数の通気孔が形成された通気板（図示せず）を配設してもいい。
【００２４】
網戸部材１６は、図３に示すように、矩形状の枠部材１６ａと、この枠部材１６ａに張設される網材１６ｂとからなり、その大きさは開口部１３と略同様な大きさに形成される。この網戸部材１６は、矩形状の枠体２１を介してプロテクター部材１４の裏側に設けられると共に、開口部１３に宛がう状態に隙間なく配設されて、室内への昆虫類の侵入を防止する役目を果たすのである。
【００２５】
網戸部材１６の室内側には、必要に応じてフィルター部材１９を配設することが可能である（図４参照）。フィルター部材１９は、網戸部材１６と略同一の大きさであり、取り外し自在になっている。このフィルター部材１９によって、粒子の細かいホコリ、砂塵、又は煙などの室内への侵入を防止できる。更に、フィルター部材１９に防臭や防湿の機能を備える材質のものを使用すれば、悪臭の流入を防いだり湿度の上昇を抑えることができる。
【００２６】
また、網戸部材１６の室内側は、必要に応じて蓋部材２０で施蓋することが可能である（図５参照）。蓋部材２０は、板状に形成されており、網戸部材１６と略同一の大きさであって、取り外し自在になっている。この蓋部材２０は換気の必要ないときや騒音があるとき等に施蓋すればよい。なお、図５中の符号２３は把手を示す。
【００２７】
更に、網戸部材１６の室内側は、必要に応じて断熱材（図示せず）で施蓋することが可能である。断熱材は、所定の厚さであり、網戸部材１６と略同一の大きさであって、取り外し自在になっている。この断熱材は気温の低い冬季などに施蓋して冷気の侵入を防ぐことができる。
【００２８】
以上のように、建物の窓用サイドバイザー１１は、網戸部材１６により窓を閉めたままで室内の換気と昆虫や鳥類の侵入を防止し、また、プロテクター部材によって雨水の吹き込みを防ぐことができる他に、防塵、防臭、防湿、防音、防寒、防眩等の様々な機能を備えているものである。
【００２９】
次に、図６に第２実施例に係る建物の窓用サイドバイザー２４を示す。この第２実施例において、前記第１実施例の建物の窓用サイドバイザー１１と同一部分には同一符号を付してその詳細は省略する。
【００３０】
この第２実施例の窓用サイドバイザー２４は、横方向に引き違う窓２５の外枠２６に設置される。窓用サイドバイザー２４の内側の構造は前記第１実施例の窓用サイドバイザー１１と同様であり、開いた窓の開口部を覆う状態で取り付けるプロテクター部材１４と、プロテクター部材１４の下部に設けるルーバー部材１５と、枠体２１と、開口部に宛がう状態で設ける網戸部材１６とを備えている（図３参照）。
【００３１】
外枠２６の上部にはレール部材２６ａが設けられており、同様に下部にもレール部材２６ｂが設けられている。また、窓用サイドバイザー２４の上部２４ａには、レール部材２６ａと嵌合する溝部が設けられており、同様に下部２４ｂには、レール部材２６ｂと嵌合する溝部又は車輪が設けられている（いずれも図示せず）。
【００３２】
このように構成される窓用サイドバイザー２４は、外枠２６のレール部材２６ａ、２６ｂに沿って、左右方向（図６中、矢印Ａ方向）に移動可能である。また、窓用サイドバイザー２４を外枠２６に設置するので窓２５の開閉が可能であると共に、窓２５を全開して使用することができる。更には、雨天時でも窓２５を開成できるので常時室内の換気が可能である。
【００３３】
また、窓用サイドバイザー２４の下部２４ｂには、２５〜３０ｃｍ程度の暖簾２７を垂下させてもよい。この場合は、下部２４ｂに連設されるガラス窓の目隠しの役割を果たすと共に、日中の光線を遮って日差しを和らげることができる。更には、様々な絵柄等を描いた種々の暖簾を例えば四季等に応じて掛け替えれば、お洒落な雰囲気を醸し出すことができる。
【００３４】
次に、図７に第３実施例に係る建物の窓用サイドバイザー２８を示す。この第３実施例において、前記第１又は第２実施例の建物の窓用サイドバイザー１１、２４と同一部分には同一符号を付してその詳細は省略する。
【００３５】
この第３実施例の窓用サイドバイザー２８は、縦方向に開成する窓２９の外枠３０に設置される。窓用サイドバイザー２８の内側の構造は前記第１実施例の窓用サイドバイザー１１と同様であり、開いた窓の開口部を覆う状態で取り付けるプロテクター部材１４と、プロテクター部材１４の下部に設けるルーバー部材１５と、枠体２１と、開口部に宛がう状態で設ける網戸部材１６とを備えている（図３参照）。
【００３６】
外枠３０の両方の側部にはレール部材３０ａ、３０ａが設けられている。また、窓用サイドバイザー２８の両方の側部２８ａ、２８ａには、レール部材３０ａ、３０ａと嵌合する溝部が設けられている（図示せず）。
【００３７】
このように構成される窓用サイドバイザー２８は、外枠３０のレール部材３０ａ、３０ａ沿って、上下方向（図７中、矢印Ｂ方向）に移動可能である。また、窓用サイドバイザー２８を外枠３０に設置するので窓２９の開閉が可能であると共に、窓２９を全開して使用することができる。更には、雨天時でも窓２９を開成できるので常時室内の換気が可能である。
【００３８】
以上のように構成される建物の窓用サイドバイザー１１、２４、２８を用いることで、特に次のような利点もある。
１．電気やガス等のエネルギーを使用しないでに室内の換気をおこなうので、省エネ効果及び二酸化炭素排出削減の効果がある、
２．窓用サイドバイザーを外枠に設置する場合には、窓の開閉が可能であると共に、窓を全開して使用することができる、
３．雨天時でも窓を開成できる。つまり全天候型であり常時室内の換気が可能である、
等である。
【図面の簡単な説明】
【００３９】
【図１】本発明の第１実施例に係る建物の窓用サイドバイザー１１の斜視図である。
【図２】窓枠１２の内側に矩形状の開口部１３を有する窓の、室外側からの斜視図である。
【図３】本発明の第１実施例に係る建物の窓用サイドバイザー１１を、プロテクター部材１４、ルーバー部材１５及び網戸部材１６に分離して示した斜視図である。
【図４】フィルター部材１９の斜視図である。
【図５】蓋部材２０の斜視図である。
【図６】本発明の第２実施例に係る建物の窓用サイドバイザー２４の正面図である。
【図７】本発明の第３実施例に係る建物の窓用サイドバイザー２８の正面図である。
【図８】従来例に係る網戸付き窓１が設けられた引き違いサッシ２の、室内側からの正面図である。
【符号の説明】
【００４０】
１    網戸付き窓
２    引き違いサッシ
２ａ  内側窓
２ｂ  外側窓
３    クレセント錠
４    窓枠
５    障子
６    摘み
１１  第１実施例の建物の窓用サイドバイザー
１２  窓枠
１２ａ上部
１２ｂ側部
１３  開口部
１４  プロテクター部材
１４ａ上部
１４ｂ下部
１４ｃ端部
１４ｄ正面板
１４ｅ側面板
１５  ルーバー部材
１６  網戸部材
１６ａ枠部材
１６ｂ網材
１７  ガラス板
１７ａ上端部
１８  羽板
１９  フィルター部材
２０  蓋部材
２１  枠体
２２  窓
２３  把手
２４  第２実施例の建物の窓用サイドバイザー
２４ａ上部
２４ｂ下部
２５  窓
２６  外枠
２６ａレール部材
２６ｂレール部材
２７  暖簾
２８  第３実施例の建物の窓用サイドバイザー
２８ａ側部
２９  窓
３０  外枠
３０ａレール部材
【図１】
2010121311.tif 000003
【図２】
2010121311.tif 000004
【図３】
2010121311.tif 000005
【図４】
2010121311.tif 000006
【図５】
2010121311.tif 000007
【図６】
2010121311.tif 000008
【図７】
2010121311.tif 000009
【図８】
2010121311.tif 000010